(57)【要約】  視認性よく、試薬設置位置とその前後への移動手段を拡張表示することで、任意の試薬設置位置を選択しやすく効率よく試薬の情報確認と準備作業を行うことができる自動分析装置を提供することにある。表示制御部３１２Ａは、試薬ディスク３０１における試薬設置位置を一覧表示する。拡張表示制御部３１２Ａ１は、表示制御部により表示された試薬設置位置一覧表示から、選択された試薬設置位置を他の設置位置とは区別して拡張して表示する。移動制御部３１２Ａ２は、拡張表示形態と隣り合う試薬設置位置を選択する。
2013094485.tif 000002
【特許請求の範囲】
【請求項１】
測定に必要な複数の試薬容器を搭載する試薬容器戴置機構と、
前記試薬容器戴置機構における試薬設置位置を一覧表示する表示制御部とを有し、
サンプルを自動で分析して検査項目の濃度を求める自動分析装置において、
前記表示制御部は、
前記表示制御部により表示された試薬設置位置一覧表示から、選択された試薬設置位置を他の設置位置とは区別して拡張して表示する拡張表示制御部と、
前記拡張表示形態と隣り合う試薬設置位置を選択する移動制御部と、
を備えることを特徴とする自動分析装置。
【請求項２】
請求項１記載の自動分析装置において、
前記移動制御部は、前記拡張表示制御部によって前記試薬設置位置一覧表示に拡張表示された箇所の両側にスクロールボタンを表示するとともに、該スクロールボタンを、前記試薬設置位置一覧表示において表示される試薬設置位置の表示より拡張して表示することを特徴とする自動分析装置。
【請求項３】
請求項１記載の自動分析装置において、
前記表示制御部は、前記試薬設置位置一覧表示と、前記試薬容器戴置機構に搭載されている試薬の使用状況を一覧表示する試薬状況表示とを同一の操作画面上に表示することを特徴とする自動分析装置。
【請求項４】
請求項３記載の自動分析装置において、
前記試薬設置位置一覧表示において、前記選択手段により選択された試薬設置位置に対応する試薬の使用状況を、前記試薬状況表示連動して表示する連動表示制御部を備えることを特徴とする自動分析装置。
【請求項５】
請求項３記載の自動分析装置において、
前記選択手段により選択された使用状況の試薬に対応する試薬の設置位置を前記試薬設置位置一覧表示において連動して表示する連動表示制御部を備えることを特徴とする自動分析装置。
【請求項６】
測定に必要な複数の試薬容器を搭載する試薬容器戴置機構と、
前記試薬容器戴置機構における試薬設置位置を一覧表示する表示制御部とを有し、
サンプルを自動で分析して検査項目の濃度を求める自動分析装置において、
前記表示制御部は、
前記表制御部により表示された試薬設置位置一覧表示から、前記選択手段により選択された少なくとも１つ以上の試薬設置位置を他の設置位置とは区別して拡張して表示する拡張表示制御部を備え、
該拡張表示制御部は、選択された試薬設置位置と関連する他の試薬設置位置も同様に拡張して表示することを特徴とする自動分析装置。
【発明の詳細な説明】
【技術分野】
【０００１】
本発明は、血液，尿などの検体を分析する自動分析装置に係り、特に、試薬に関する情報を表示するに好適な自動分析装置に関する。
【背景技術】
【０００２】
血液、尿などの検体を分析する自動分析装置は、様々な作業簡便化がメーカなどにより試みられているが、キャリブレーション、メンテナンス、試薬交換など患者検体の測定の前後に行うユーザーによる作業が多い。特に試薬交換は、ユーザーが毎日必ず必要な作業であり、当日の測定に必要な試薬をあらかじめ装置に設置しなければ、患者検体の測定中に試薬不足により結果が出力されない可能性があり、患者への結果報告の遅延につながる。また、自動分析装置で使用する試薬には、使用期限が定められており、期限を超過した試薬を使用すると、正確な測定結果が出力されない可能性がある。そのため装置に設置されている試薬が使用期限内かどうかの確認もユーザーにより行われる。【０００３】
従来の一般的な自動分析装置の試薬管理画面では、試薬ディスク内のポジションごとに、分析項目名，残量，製造ロット，製造通し番号，有効期限などが表示されており、交換が必要な試薬についてはリストの上部に表示するなどして、ユーザーの注意を喚起する工夫がされている。【０００４】
また、自動分析装置の表示画面とは別に、ユーザーが実際に試薬交換する際に試薬ディスク内に交換の必要な設置位置ごとに表示部分を設けて、設置すべき位置をわかりやすくユーザーに知らせるものが知られている（例えば、特許文献１参照）。さらに、問題のある試薬を容易に特定できるよう、キャリブレーション、精度管理、試薬の状況に関する状況を一括で表示するものが知られている（例えば、特許文献２参照）。
【先行技術文献】
【特許文献】
【０００５】
【特許文献１】特許第３３１４６２９号公報
【特許文献２】特許第４６５９７６７号公報
【発明の概要】
【発明が解決しようとする課題】
【０００６】
近年、自動分析装置で測定できる項目の増加の多機能化に伴い、自動分析装置に搭載できる試薬設置数も増えてきており、画面上に表示される試薬情報が増加している。さらに処理能力の増加に伴い、試薬交換や追加の作業頻度が増加している。その一方、作業の対象となる画面の多岐化により画面遷移の時間や手間（クリック動作）がかかるため、操作性の向上が望まれている。【０００７】
しかしながら、特許文献１記載のものは、試薬交換時の人為的ミスを軽減することが期待できるが、自動分析装置の表示画面とは別に試薬画面表示を設けることは、ハードとソフトの両方の変更が多大になることが懸念される。【０００８】
また、特許文献２記載のものは、容易に問題のある試薬を特定できるが、その問題を解決するためには試薬管理画面に画面遷移する必要があり、複数の試薬に問題がある場合など、何度も画面遷移しなければならず手間がかかる。【０００９】
本発明の目的は、視認性よく、試薬設置位置とその前後への移動手段を拡張表示することで、任意の試薬設置位置を選択しやすく効率よく試薬の情報確認と準備作業を行うことができる自動分析装置を提供することにある。
【課題を解決するための手段】
【００１０】
（１）上記目的を達成するために、本発明は、測定に必要な複数の試薬容器を搭載する試薬容器戴置機構と、前記試薬容器戴置機構における試薬設置位置を一覧表示する表示制御部とを有し、サンプルを自動で分析して検査項目の濃度を求める自動分析装置において、前記表示制御部は、前記表示制御部により表示された試薬設置位置一覧表示から、選択された試薬設置位置を他の設置位置とは区別して拡張して表示する拡張表示制御部と、前記拡張表示形態と隣り合う試薬設置位置を選択する移動制御部とを備えるようにしたもの
である。  
かかる構成により、視認性よく、試薬設置位置とその前後への移動手段を拡張表示することで、任意の試薬設置位置を選択しやすく効率よく試薬の情報確認と準備作業を行うことができるものとなる。【００１１】
（２）上記（１）において、好ましくは、前記移動制御部は、前記拡張表示制御部によって前記試薬設置位置一覧表示に拡張表示された箇所の両側にスクロールボタンを表示するとともに、該スクロールボタンを、前記試薬設置位置一覧表示において表示される試薬設置位置の表示より拡張して表示するようにしたものである。【００１２】
（３）上記（１）において、好ましくは、前記表示制御部は、前記試薬設置位置一覧表示と、前記試薬容器戴置機構に搭載されている試薬の使用状況を一覧表示する試薬状況表示とを同一の操作画面上に表示するようにしたものである。【００１３】
（４）上記（３）において、好ましくは、前記試薬設置位置一覧表示において、前記選択手段により選択された試薬設置位置に対応する試薬の使用状況を、前記試薬状況表示連動して表示する連動表示制御部を備えるようにしたものである。【００１４】
（５）上記（３）において、好ましくは、前記選択手段により選択された使用状況の試薬に対応する試薬の設置位置を前記試薬設置位置一覧表示において連動して表示する連動表示制御部を備えるようにしたものである。【００１５】
（６）また、上記目的を達成するために、本発明は、測定に必要な複数の試薬容器を搭載する試薬容器戴置機構と、前記試薬容器戴置機構における試薬設置位置を一覧表示する表示制御部とを有し、サンプルを自動で分析して検査項目の濃度を求める自動分析装置において、前記表示制御部は、前記表制御部により表示された試薬設置位置一覧表示から、前記選択手段により選択された少なくとも１つ以上の試薬設置位置を他の設置位置とは区別して拡張して表示する拡張表示制御部を備え、該拡張表示制御部は、選択された試薬設置位置と関連する他の試薬設置位置も同様に拡張して表示するようにしたものである。  
かかる構成により、視認性よく、試薬設置位置とその前後への移動手段を拡張表示することで、任意の試薬設置位置を選択しやすく効率よく試薬の情報確認と準備作業を行うことができるものとなる。
【発明の効果】
【００１６】
本発明によれば、視認性よく、試薬設置位置とその前後への移動手段を拡張表示することで、任意の試薬設置位置を選択しやすく効率よく試薬の情報確認と準備作業を行うことができるものとなる。
【図面の簡単な説明】
【００１７】
【図１】本発明の一実施形態による自動分析装置の全体構成を示す平面図である。
【図２】本発明の一実施形態による自動分析装置の制御系の詳細構成を示すブロック図である。
【図３】本発明の一実施形態による自動分析装置に用いる操作画面の説明図である。
【図４】本発明の一実施形態による自動分析装置の表示制御内容を示すフローチャートである。
【図５】本発明の一実施形態による自動分析装置の他の表示制御内容を示すフローチャートである。
【発明を実施するための形態】
【００１８】
以下、図１〜図５を用いて、本発明の一実施形態による自動分析装置の構成及び動作について説明する。  
最初に、図１を用いて、本発明の一実施形態による自動分析装置の全体構成について説明する。  
図１は、本発明の一実施形態による自動分析装置の全体構成を示す平面図である。
【００１９】
本実施形態の自動分析装置は、図１に示すように、試薬容器収納部である試薬ディスク３０１と試薬分注ピペッタ３０２を備えた試薬系と、試料分注ピペッタ３０３を備えたサンプル系と、反応容器３０４を含んだ反応ディスク３０５を備えた反応系と、多波長光度計３０６とアナログ／デジタルコンバータ３０７を備えた測定系と、制御部３１２と表示部３１４と操作部３１６とからなる制御系とから構成される。
【００２０】
試料容器１０８の設置されたラック１０７は、搬送部１０２を試料吸引位置３０８へと搬送される。試料分注ピペッタ３０３は、試料容器１０８内の試料を吸引し、反応容器３０４の中に所定量分注する。
【００２１】
試料液が吐出分注された反応容器３０４は、恒温槽３０９に連絡された反応ディスク３０５の中を第一試薬添加位置まで移動される。この時、試薬ディスク３０１も回転動作によって現在の分析項目に該当する試薬容器３１０を昇降アームに保持された試薬分注ピペッタ３０２の下に位置するように移動する。そして、第一試薬添加位置まで移動された反応容器３０４には、試薬分注ピペッタ３０２に吸引された所定の第一試薬が加えられる。第一試薬の添加後の反応容器３０４は攪拌装置３１１の位置まで移動され、最初の攪拌が行われる。
【００２２】
内容物が攪拌された反応容器３０４に、光源から発生された光束が通過し、多波長光度計３０６に入射する。そして、反応容器３０４の内容物である反応液の吸光度が多波長光度計３０６により検知される。検知された吸光度信号は、アナログ／デジタル（Ａ／Ｄ）コンバータ３０７及びインターフェイスを介して制御部３１２に供給され、試料液中の測定対象の分析項目濃度に変換される。
【００２３】
測定が終了した反応容器３０４は、洗浄機構の位置まで移動され、反応容器洗浄機構による洗浄位置にて内部の液が排出された後に、水で洗浄され、次の分析に供される。
【００２４】
制御部３１２は、搬送部１０２，試料分注ピペッタ３０３，反応ディスク３０５，試薬ディスク３０１，試薬分注ピペッタ３０２などの各機構部の動作も制御する。
【００２５】
操作部３１６は、マウスやキーボードである。表示部３１４は、グラフィックユーザインターフェース（ＧＵＩ）であり、マウス等の指示により所定の操作を行うことができる操作画面が表示される。
【００２６】
操作者は、表示部３１４の表示内容を見ながら、操作部３１６を操作することで試薬の状態などをチェックすることができる。操作部３１６の操作結果は、制御部３１２によって制御され、表示部３１４の表示内容に反映される。なお、表示部３１４としてタッチパネルを用いる場合には、操作者が表示部３１４の表示画面にタッチすることで、操作できるため、その場合には、操作部３１６は不要である。
【００２７】
次に、図２を用いて、本発明の一実施形態による自動分析装置の制御系の詳細構成について説明する。  
図２は、本発明の一実施形態による自動分析装置の制御系の詳細構成を示すブロック図である。
【００２８】
制御系は、制御部３１２と表示部３１４と操作部３１６とからなる。制御部３１２は、表示制御部３１２Ａを備えている。表示制御部３１２Ａは、拡張表示制御部３１２Ａ１と、移動制御部３１２Ａ２と、試薬状況表示制御部３１２Ａ３と、連動表示制御部３１２Ａ４とを備えている。
【００２９】
これらの表示制御部３１２Ａの各部の動作は、図３以降を用いて後述する。
【００３０】
次に、図３を用いて、本発明の一実施形態による自動分析装置に用いる操作画面の一例について説明する。  
図３は、本発明の一実施形態による自動分析装置に用いる操作画面の説明図である。
【００３１】
表示画面は、図２の表示部３１４に表示されるシステム状況試薬管理画面を示している。図２に示した表示制御部３１２Ａは、図３に示すシステム状況試薬管理画面を表示するように表示部３１３を制御する。
【００３２】
システム状況試薬管理画面は、操作ガイダンス試薬ポジション一覧表示部５０２と、分析項目一覧表示部５０３と、試薬詳細表示部５０５と、メッセージリストシステム試薬表示部５０４との、主に４つの部分から構成される。一般的に、自動分析装置の試薬管理画面は、試薬の登録依頼や、ユーザーが設置した試薬が正しく装置が認識し登録されているか、試薬の残量、有効期限やロットの情報を確認する場合や、未登録の設置位置に直接マニュアル登録する場合、などに操作する画面である。そのため、試薬交換前後など、毎日ユーザーが確認する必要がある画面である。
【００３３】
試薬ポジション一覧表示部５０２には、試薬ディスク上の全ポジションを表示しており、各試薬ポジションを示した試薬ポジションボタン５１１と、選択された拡張表示形態ポジションボタン５１３と、スクロールボタン５１２ａ，５１２ｂと、試薬ポジション番号５１４とを含む。各試薬の試薬ポジションボタン５１１は、試薬ディスク上の全ポジション数だけ表示される。図２の例では、横一列であるが、実際の画面の限られた表示範囲で見にくくならない範囲で、試薬ディスクの構成にあわせてディスク形状とする等、実際の構成模式図のように表示させてもよい。試薬ポジションボタン５１１は、試薬状況表示色説明エリア５１５に従い現在の試薬残量などの情報によって表示色を変化させる。なお、図３では、ハッチングの種類を変えて、ボタンの色の違いを図示しているが、実際の自動分析装置のモニター画面では色を変えるようにしている。この試薬ポジション一覧表示部５０２は、従来の表示画面には表示されてないものであり、試薬ポジション一覧表示部５０２を表示することで、試薬全体が容易に把握できる。
【００３４】
例えば、試薬残量が無い試薬ポジションは赤色の表示とさせる場合、試薬ディスク上の設置ポジション一覧表示部５０２のうち、試薬残量が無い試薬のみ赤色と表示させるため、ユーザーは一目で現在試薬残量が無い試薬ポジションとその数を確認することができる。
【００３５】
ユーザーが任意の試薬ディスクの試薬ポジションボタン５１１を選択すると、拡張表示制御部３１２Ａ１は、当該ポジションを拡張表示して、拡張表示形態ポジションボタン５１３として表示する。拡張表示とは、当該ポジションを拡大して表示することを示す。選択されたポジションおよびその前後複数の試薬ポジションを拡張表示してもよい。その場合は、選択された試薬ポジションを中心に前後に同数ずつの試薬ポジションを、拡張表示形態ポジションボタン５１３と比較して少し小さいが各試薬ポジションボタン５１１よりは大きい程度に拡張表示させることで、現在選択されているポジションを判別されやすい。その上、前後の試薬ポジションも拡張表示されるため、直接前後の試薬ポジションをタッチすることでも選択できるため選択性が高くなる。
【００３６】
さらに、選択された試薬ポジションと関連する他の試薬ポジションを同時に複数の試薬ポジションボタン５１１を拡張表示する。例えば、同じ種類の試薬が複数の試薬容器に収納されている場合がある。例えば、２６番目の試薬と、３８番目の試薬が同じ種類の試薬とする。この場合、設置ポジション一覧表示部５０２にて、２６番目の試薬を選択すると、２６番目の試薬が拡大表示されるとともに、３８番目の試薬についても拡張表示するというように、選択された試薬ポジションと同一分析項目の試薬が設置されている試薬ポジションボタン５１１を同時に拡張表示する。また、一つの分析項目に対して、２種類の試薬（第１試薬と、第２試薬）を用いる場合もある。この場合、例えば、２６番目の試薬が第１試薬で、３９番目の試薬が第２試薬とすると、両者は関連するので、設置ポジション一覧表示部５０２にて、２６番目の試薬を選択すると、２６番目の試薬が拡大表示されるとともに、３９番目の試薬についても拡張表示するというように、選択された試薬ポジションと関連する試薬が設置されている試薬ポジションボタン５１１を同時に拡張表示する。
【００３７】
それぞれの試薬ポジションボタン５１１は、タッチパネル上であれば直接タッチすること、およびマウスなどによりクリックすること、により選択が可能である。さらに、スクロールボタン５１２ａまたはスクロールボタン５１２ｂを押下られると、移動制御部３１２Ａ２は、隣り合う試薬ポジション前後に移動する。つまり、例えば図３の例では現在試薬ポジション２６が拡張表示形態となっているが、スクロールボタン５１２ａを押下すると、試薬ポジション２６は他の試薬ポジションボタン５１１と同じ通常の大きさの表示になると同時に、試薬ポジション２５が新たに拡張表示形態となる。逆に、試薬ポジション２６が拡張表示形態となっている状態で、スクロールボタン５１２ｂを押すと、試薬ポジション２６は試薬ポジションボタン５１１と同じ通常の大きさの表示になると同時に、試薬ポジション２７が新たに拡張表示形態となる。スクロールボタン５１２ａまたはスクロールボタン５１２ｂによる前後移動は、複数ポジション単位で移動してその複数ポジションを拡張表示してもよい。例えば、3ポジションがまとめて容器に入れられている場合は3ポジション単位で移動し拡張表示するとユーザは容易に設置位置を把握することができる。
【００３８】
このとき、スクロールボタン５１２ａとスクロールボタン５１２ｂは拡張表示形態ポジションボタン５１３と同等の大きさに表示させることで、選択性を向上することが可能である。特に、タッチパネルの場合、スクロールボタン５１２を拡張表示ポジションボタン５１３と同程度の大きさに表示することで、ユーザーの指のタッチによる任意の試薬ポジションボタン５１１を選択がしやすくなる。例えば、試薬ディスク上のポジション数が多いほど、限られた画面範囲の中で全数表示しようとすると各試薬ポジションボタンが縮小され、１度の指のタッチにより任意のポジションを正確に選択することが難しくなることが懸念される。しかし、スクロールボタン５１２や複数の試薬ポジションボタン５１１を大きく表示することより、仮に一度のタッチで任意のポジションを選択できなかった場合にもスクロールボタン５１２または拡張表示形態ポジションボタン５１３により任意の試薬ポジションへの移動を可能とし、操作性を向上させることができる。試薬ポジションボタン５１１を全数分について拡大表示すると、限られた表示範囲の画面では収まらず関連する試薬情報が表示できないことが懸念されるが、このように限定された範囲を拡張表示することで、全体の試薬ポジション表示を維持したまま、必要な情報を視認性よく提供することが可能である。
【００３９】
分析項目一覧表示部５０３は、試薬ディスクに設置または登録されている試薬で測定する分析項目とそれに対応する有効テスト数を表示する。分析項目一覧表示部５０３にて表示されている分析項目は、項目名または有効テスト数により表示順序をソートすることが可能である。例えば、有効テスト数を画面上で選択し、表示順序をソートした場合には、有効テスト数の少ないものから順に並び替えられるため、現在装置上に設置されている試薬で有効テスト数の少ない分析項目を確認することができる。
【００４０】
さらに、連動表示制御部３１２Ａ４は、分析項目一覧表示部５０３と、試薬ポジション一覧表示部５０２および試薬詳細表示部５０５と互いに連動させることが可能である。このように、複数の画面を連動させるというのも従来ないものである。連動表示を行うことで、一つの表示部での選択を、他の表示部にも反映して、関連箇所の状況を容易に把握できる。
【００４１】
例えば図３の例では、試薬ポジション一覧表示部５０２において、選択された試薬ポジションは試薬ディスク上のポジション番号２６である。ポジション２６を選択した瞬間に、当該ポジションは拡張表示される。さらに、当該ポジションに設置されている試薬の分析項目は、分析項目一覧表示部５０３においてＡＭＹという項目が他の分析項目と色などにより区別して表示されることにより、ＡＭＹであることが判別できる。ＡＭＹの分析項目は、有効テスト数を確認することにより、装置上にある試薬を用いて７０６テスト分を測定可能であることを示す。試薬ポジション一覧表示部５０２には試薬ポジション番号を表示するが、使用期限を超過した場合は使用期限を超過していないポジションと色などにより区別して表示される。これによりユーザは試薬ディスク上の全ポジションの中で使用期限が超過しているポジションを容易に把握できる。
【００４２】
さらに、試薬状況表示制御部３１２Ａ３は、試薬詳細表示部５０５において、当該ポジションを含む、該当する分析項目全ての試薬ボトルの使用状況や、当該ボトルの残テスト数、有効日数などの詳細な情報を表示する。このとき、試薬ポジション一覧表示部５０２において拡張表示されているポジションに設置している試薬ボトルが、他の試薬ボトルと色などにより区別して表示される。
【００４３】
また、逆も同様に、分析項目一覧表示部５０３にて分析項目を選択した場合には、連動表示制御部３１２Ａ４は、試薬ポジション一覧表示部５０２および試薬詳細表示部５０５にて該当する試薬を自動で連動して、選択および区別して表示する。
【００４４】
例えば、前述の説明では、試薬ポジション一覧表示部５０２で２６番目の試薬を選択すると、分析項目一覧表示部５０３及び試薬詳細表示部５０５の２６番目の試薬に関する部分が強調表示されているが、分析項目一覧表示部５０３で分析項目として、「ＡＭＹ」を選択すると、試薬ポジション一覧表示部５０２で２６番目の試薬が拡張表示され、また、試薬詳細表示部５０５の２６番目の試薬に関する部分が強調表示される。
【００４５】
同様にして、試薬詳細表示部５０５にて試薬を選択した場合には、連動表示制御部３１２Ａ４は、試薬ポジション一覧表示部５０２および分析項目一覧表示部５０３にて該当する試薬を自動で連動して、選択および区別して表示する。
【００４６】
例えば、前述の説明では、試薬詳細表示部５０５の２６番目の試薬に関する部分を選択すると、試薬ポジション一覧表示部５０２で２６番目の試薬が拡張表示され、分析項目一覧表示部５０３で分析項目として、「ＡＭＹ」が強調表示される。
【００４７】
システム試薬表示部５０４は、試薬ディスク以外の所定の位置に設置する、洗剤などを含むシステム試薬の使用状況を表示する。システム試薬表示部５０４は、（一般的に）試薬ディスクの外であり固定の試薬タイプについて表示するため、試薬詳細表示部５０５や分析項目一覧表示部５０３、試薬ポジション一覧表示部５０２とは連動されなくてもよい。ただし、分析項目のうち、キャリーオーバー回避洗剤など、測定前後の分析項目の組み合わせなどにより洗剤による洗浄を挟まなければ正確に測定できない分析項目もあるため、装置上で分析項目の組み合わせごとに洗剤による洗浄を指定できるのが一般的である。その分析項目を測定するには必要となる洗剤がある場合は、当該分析項目を試薬詳細表示部５０５、分析項目一覧表示部５０３、試薬ポジション一覧表示部５０２において選択した場合に、システム試薬表示部５０４において、関連するシステム試薬について、他のシステム試薬とは区別して連動して表示する。
【００４８】
次に、図４を用いて、本発明の一実施形態による自動分析装置の表示制御内容について説明する。  
図４は、本発明の一実施形態による自動分析装置の表示制御内容を示すフローチャートである。
【００４９】
図４では、試薬管理画面にてユーザーの試薬設置位置の選択により当該試薬設置位置を拡張表示および対応するセル表示を更新する論理を示している。
【００５０】
まず、ユーザーが試薬管理画面にて任意の試薬設置位置を選択する（ステップＳ１）。
選択しなければ終了する。
【００５１】
装置が選択を認識した時点で、選択前に拡張表示していた試薬設置位置を通常サイズに表示し、当該試薬設置位置を、拡張表示形態に表示を変更する（ステップＳ２）。
【００５２】
次に、ステップＳ３では、分析項目一覧表示部５０３にて、当該試薬設置位置に該当する分析項目のセルをフォーカス状態に表示を更新する。さらに、試薬詳細表示部にて、当該分析項目に対応する試薬情報を表示する。同時に、ステップＳ２にて選択されている試薬設置位置に対応する試薬情報のセルをフォーカス状態に表示を更新する。
【００５３】
このとき、試薬設置位置に該当する分析項目が登録されていない不明項目であった場合、分析項目一覧表示部５０２では不明項目のセルをフォーカス状態表示に更新し、試薬詳細表示部５０５では当該試薬設置位置のセルをフォーカス状態表示を更新する。
【００５４】
次に、図５を用いて、本発明の一実施形態による自動分析装置の他の表示制御内容について説明する。  
図５は、本発明の一実施形態による自動分析装置の他の表示制御内容を示すフローチャートである。
【００５５】
図５では、試薬管理画面にてユーザーのスクロールボタンの選択により隣り合う試薬設置位置を拡張表示および対応するセル表示を更新する論理を示している。
【００５６】
まず、ユーザーが試薬画面にてどちらか一方のスクロールボタンを選択する（ステップＳ４）。選択がなければ終了する。
【００５７】
装置が選択を認識した時点で、選択前に拡張表示していた試薬設置位置を通常サイズに表示し、選択されたスクロールボタン側に隣りあう試薬設置位置を拡張表示に更新する（ステップＳ５）。
【００５８】
次に、ステップＳ６では、分析項目一覧表示部にて、当該試薬設置位置に該当する分析項目のセルをフォーカス状態に表示を更新する。さらに、試薬詳細表示部にて、当該分析項目に対応する試薬情報を表示する。同時に、ステップＳ５にて選択されている試薬設置位置に対応する試薬情報のセルをフォーカス状態に表示を更新する。
【００５９】
以上説明したように、本実施形態では、スムーズな作業を可能とするため、試薬管理画面において試薬ディスク内の試薬設置位置を一覧表示し、選択された試薬設置位置を拡張表示し、さらに同程度の大きさで表示されたスクロールボタン（移動手段）により容易に前後の試薬設置位置への移動を可能とする。試薬設置数が今後さらに増加しても、画面を細分化することなく、視認性を維持し同一画面上にて全体の試薬情報を確認することができると同時に、効率よく任意の試薬設置位置の選択が可能である。
【００６０】
また、選択された試薬に関する詳細情報は、連動して同一画面上に区別して表示する。
【００６１】
上記により、視認性を低下させることなく、操作性を向上することを可能とする。また、検査室において最も忙しい朝の時間においても画面遷移にかかる時間や手間（クリック動作）などを省略することができるため、ユーザーによる作業負担の軽減となる。
【００６２】
また、従来装置の試薬管理画面の一部に試薬設置位置を一覧表示させ、選択された設置位置とその前後のスクロールボタン（移動手段）を拡張して表示させるだけなので画面構成、ソフト変更に多大な時間と労力をかけることなく変更可能である。
【００６３】
以上のように、本実施形態によれば、試薬管理画面において試薬ディスク内の試薬設置位置を一覧表示し、選択された試薬設置位置を拡張表示し、さらに同程度の大きさで表示されたスクロールボタン（移動手段）により容易に前後の試薬設置位置への移動を可能にすることにより、任意の試薬設置位置を選択しやすくなる。ユーザーが効率よく試薬の情報確認と準備作業を行うことができるため、操作性が向上し、さらに測定結果の信頼性が確保できる。
【００６４】
また、本実施形態によれば、従来装置の試薬管理画面の一部に試薬設置位置を一覧表示させ、選択された設置位置とその前後のスクロールボタン（移動手段）を拡張して表示させるだけなので画面構成、ソフト変更に多大な時間と労力をかけることなく変更可能である。
【符号の説明】
【００６５】
１０２…搬送部
１０７…ラック
１０８…試料容器
３１０…試薬容器
３０１…試薬ディスク
３０９…恒温槽
３０４…反応容器
３０３…試料分注ピペッタ
３０８…試料吸引位置
３０２…試薬分注ピペッタ
３０５…反応ディスク
３０６…多波長光度計
３０７…アナログ／デジタルコンバータ
３１１…攪拌装置
３１２…制御部
３１４…表示部
３１６…操作部
３１２Ａ…表示制御部
３１２Ａ１…拡張表示制御部
３１２Ａ２…移動制御部
３１２Ａ３…試薬状況表示制御部
３１２Ａ４…連動表示制御部
５０１…試薬ポジション一覧表示部
５０２…分析項目一覧表示部
５０３…システム試薬表示部
５０４…試薬詳細表示部
５１１…試薬ポジションボタン
５１２ａ，５１２ｂ…スクロールボタン
５１３…拡張表示形態ポジションボタン
５１４…試薬ポジション番号
５１５…試薬状況表示色説明エリア
【図１】
2013094485.tif 000003
【図２】
2013094485.tif 000004
【図３】
2013094485.tif 000005
【図４】
2013094485.tif 000006
【図５】
2013094485.tif 000007
【国際調査報告】
2013094485.tif 000008
2013094485.tif 000009
2013094485.tif 000010
2013094485.tif 000011